(57)【要約】  家電機器１００−１は、低電圧を出力する低電圧回路８と、低電圧端子５と、高電圧端子４と、低電圧回路８と低電圧端子５との間に配置され、交流電圧が高電圧端子４に印加されているときには低電圧回路８と低電圧端子５とを接続状態にし、交流電圧が高電圧端子４に印加されていないときには低電圧回路８と低電圧端子５とを非接続状態にする開閉部６とを備え、低電圧端子５に高電圧が印加された場合でも部品の破損を防止できることを特徴とする。
2017145247.tif 000002
【特許請求の範囲】
【請求項１】
低電圧を出力する低電圧回路と、
低電圧端子と、
高電圧端子と、
前記低電圧回路と前記低電圧端子との間に配置され、交流電圧が前記高電圧端子に印加されているときには前記低電圧回路と前記低電圧端子とを接続状態にし、前記交流電圧が前記高電圧端子に印加されていないときには前記低電圧回路と前記低電圧端子とを非接続状態にする開閉部と
を備えたことを特徴とする家電機器。
【請求項２】
前記交流電圧は三相交流電圧であることを特徴とする請求項１に記載の家電機器。
【請求項３】
前記開閉部は、前記家電機器に搭載されるマイコンの出力電圧で動作することを特徴とする請求項１または請求項２に記載の家電機器。
【請求項４】
低電圧を出力する低電圧回路と、
低電圧端子と、
高電圧端子と、
前記低電圧回路と前記低電圧端子との間に配置され、交流電圧が前記高電圧端子に印加されているときには前記低電圧回路と前記低電圧端子とを接続状態にし、前記交流電圧が前記高電圧端子に印加されていないときには前記低電圧回路と前記低電圧端子とを非接続状態にする開閉部と、
前記低電圧端子に接続されるサブ基板用の第１の低電圧端子と、
デマンド信号送信機に接続されるサブ基板用の第２の低電圧端子と、
前記高電圧端子に接続されるサブ基板用の高電圧端子と、
前記第１の低電圧端子と前記第２の低電圧端子との間に配置され、前記交流電圧が前記サブ基板用の高電圧端子に印加されているときには前記第１の低電圧端子と前記第２の低電圧端子とを接続状態にし、前記交流電圧が前記サブ基板用の高電圧端子に印加されていないときには前記第１の低電圧端子と前記第２の低電圧端子とを非接続状態にするサブ基板用の開閉部と
を備えたことを特徴とする空気調和機。
【請求項５】
前記交流電圧は三相交流電圧であることを特徴とする請求項４に記載の空気調和機。
【請求項６】
前記開閉部および前記サブ基板用の開閉部は、前記空気調和機に搭載されるマイコンの出力電圧で動作することを特徴とする請求項４または請求項５に記載の空気調和機。
【発明の詳細な説明】
【技術分野】
【０００１】
本発明は、誤配線により低電圧端子に高電圧が印加されたときの保護機能を有する家電機器および空気調和機に関する。
【背景技術】
【０００２】
従来の空気調和機は、誤配線により低電圧制御回路に高電圧電源が印加された場合を想定して誤配線保護手段を備える。一般的な誤配線保護手段は、電圧検出により高電圧を検出した場合に回路保護を行うことを想定した構成であるが、回路構成が複雑かつ部品数の増加を伴うためコスト増加が懸念される。また高電圧の印加により回路が破損した際、交換を要するヒューズを代表とする保護部品を用いることも考えられるが、当該保護部品は部品交換および修理サービスを伴うため、大きな手間とコストがかかることが懸念される。【０００３】
この問題に対して、特許文献１の従来技術では、空気調和機の室内機と室外機との間を繋ぐ電力供給線および信号伝送線のそれぞれの接続部に開閉器を設け、誤配線時に開閉器を開状態となることで回路基板を保護している。また特許文献２の従来技術では、空気調和機において、三相２００Ｖの高電圧電源が入力される三相電源制御回路と単相１００Ｖの低電圧電源が入力される電源制御回路とのそれぞれに開閉器を設け、誤配線時に開閉器が開状態となることで回路基板を保護している。【０００４】
このように特許文献１および特許文献２に記載の誤配線保護は、空気調和機の低電圧制御回路への導入を想定しており、誤配線時に高電圧が印加されるおそれがある全ての回路に対して、本来想定する低電圧で低電圧制御回路が動作すること以外に、高電圧が印加された場合にも低電圧制御回路が破壊されないことを目的として誤配線対策を講じている。
【先行技術文献】
【特許文献】
【０００５】
【特許文献１】特開２００７−１１３８５６号公報
【特許文献２】特開昭６３−１１６３１８号公報
【発明の概要】
【発明が解決しようとする課題】
【０００６】
しかし特許文献１の従来技術は、空気調和機の室内機と室外機との間における誤配線のみを想定したものであるため、室内機以外の外部機器との接続を想定した誤配線対策に対する配慮がされていない。【０００７】
また特許文献２の従来技術は、特許文献１と同様に室内機以外の外部機器との接続を想定した誤配線対策に対する配慮がされていないだけでなく、三相２００Ｖの高電圧電源の電源線と単相１００Ｖの低電圧電源の電源線との誤配線を想定したものであり、単相２００Ｖの高電圧電源の電圧が単相１００Ｖの低電圧制御回路に印加されることに対する配慮がなされていない。【０００８】
本発明は、上記に鑑みてなされたものであって、低電圧端子に高電圧が印加された場合でも部品の破損を防止できる家電機器を得ることを目的とする。
【課題を解決するための手段】
【０００９】
上述した課題を解決し、目的を達成するために、本発明に係る家電機器は、低電圧を出力する低電圧回路と、低電圧端子と、高電圧端子と、低電圧回路と低電圧端子との間に配置され、交流電圧が高電圧端子に印加されているときには低電圧回路と低電圧端子とを接続状態にし、交流電圧が高電圧端子に印加されていないときには低電圧回路と低電圧端子とを非接続状態にする開閉部と、を備えたことを特徴とする。
【発明の効果】
【００１０】
本発明に係る家電機器は、低電圧端子に高電圧が印加された場合でも部品の破損を防止できるという効果を奏する。
【図面の簡単な説明】
【００１１】
【図１】本発明の実施の形態１に係る家電機器が有する回路の構成図
【図２】図１に示す電源回路の構成図
【図３】本発明の実施の形態１に係る家電機器において誤配線時の動作を説明するための図
【図４】本発明の実施の形態２に係る空気調和機が有する回路の構成図
【図５】図４に示すメイン基板に搭載される電源回路の構成図
【図６】本発明の実施の形態２に係る空気調和機において誤配線時の動作を説明するための図
【発明を実施するための形態】
【００１２】
以下に、本発明の実施の形態に係る家電機器および空気調和機を図面に基づいて詳細に説明する。なお、この実施の形態によりこの発明が限定されるものではない。
【００１３】
実施の形態１．
図１は本発明の実施の形態１に係る家電機器が有する回路の構成図である。実施の形態１に係る家電機器１００−１は、単相の商用電源１と外部機器２とが接続されるメイン基板３を備える。家電機器１００−１としては冷蔵庫、空気調和機またはテレビを例示できる。図１では家電機器１００−１が備えるメイン基板３以外の構成要素の図示を省略している。メイン基板３以外の構成要素とは、家電機器１００−１が冷蔵庫であれば、冷蔵庫の外郭を構成する筐体、筐体内に設けられる冷凍サイクル機構、電動機、電動機駆動装置および送風ファンといった部品である。
【００１４】
メイン基板３は、低電圧を出力する低電圧回路８と、低電圧が印加される低電圧端子５と、低電圧より高い交流電圧であって単相の商用電源１の電圧が印加される高電圧端子４と、電源回路７と、開閉部６とを備える。本実施の形態ではメイン基板３に高電圧端子４および低電圧端子５が設けられているが、高電圧端子４および低電圧端子５はメイン基板３以外の場所に設けられていてもよく、例えば家電機器１００−１が空気調和機である場合、空気調和機の室外機に設置される電気品箱内にメイン基板３が設置されているときには、当該電気品箱の筐体に高電圧端子４および低電圧端子５を固定してもよい。この場合、筐体に固定された高電圧端子４および低電圧端子５には、メイン基板３と高電圧端子４とを接続する配線と、メイン基板３と低電圧端子５とを接続する配線とが設けられる。
【００１５】
図１では、商用電源１に繋がる配線１ａが高電圧端子４に接続され、家電機器１００−１の外部に配置される外部機器２に繋がる配線２ａが低電圧端子５に接続されている。本実施の形態では図１に示すように配線１ａ，２ａが接続された状態を正常配線と称する。一方、配線１ａが低電圧端子５に接続された状態を誤配線と称する。
【００１６】
開閉部６は、誤配線保護手段であり、誤配線により配線１ａが低電圧端子５に接続されたときに低電圧回路８を含むメイン基板３上の回路部品の破損を防ぐために設けられている。開閉部６は、低電圧回路８と低電圧端子５との間に配置され、商用電源１の交流電圧が高電圧端子４に印加されているときには低電圧回路８と低電圧端子５とを接続状態にし、商用電源１の交流電圧が高電圧端子４に印加されていないときには低電圧回路８と低電圧端子５とを非接続状態にする。
【００１７】
開閉部６は、電源回路７から出力される電圧により駆動するスイッチ回路であれば如何なる構成でもよく、開閉部６としては電磁リレー、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）またはフォトカプラを例示できる。開閉部６が電磁リレーである場合、電磁リレーはコイルおよびプランジャを備え、電源回路７から電圧が出力されていないときには、コイルが励磁されずプランジャが駆動しないため低電圧回路８が低電圧端子５に接続されず、電源回路７から一定値以上の電圧が出力されているときには、コイルが励磁されることでプランジャが駆動して低電圧回路８が低電圧端子５に接続される。
【００１８】
図２は図１に示す電源回路の構成図である。電源回路７は、ノイズフィルタ７１、ダイオードブリッジ７２、リアクタ７３、ＩＧＢＴ（Ｉｎｓｕｌａｔｅｄ  Ｇａｔｅ  Ｂｉｐｏｌａｒ  Ｔｒａｎｓｉｓｔｏｒ）７４、シャント抵抗７５、整流ダイオード７６、電解コンデンサ７７、インバータ回路７８およびＤＣＤＣ（Ｄｉｒｅｃｔ  Ｃｕｒｒｅｎｔ−Ｄｉｒｅｃｔ  Ｃｕｒｒｅｎｔ）回路７９を有する。
【００１９】
ノイズフィルタ７１の入力側は高電圧端子４に接続され、ノイズフィルタ７１は電源回路７で発生した伝導性ノイズが配線１ａを介して外部へ伝播し周辺機器に影響を与えるのを防止するために設けてある。
【００２０】
ダイオードブリッジ７２は４つのダイオードを組み合わせて構成された全波整流回路である。ダイオードブリッジ７２の構成はこれに限定されるものではなく、単方向導通素子であるＭＯＳＦＥＴを組み合わせて構成してもよい。
【００２１】
正極側直流母線Ｐに配置されるリアクタ７３の一端はダイオードブリッジ７２に接続され、リアクタ７３の他端は整流ダイオード７６のアノードとＩＧＢＴ７４との接続端に接続される。
【００２２】
ＩＧＢＴ７４のコレクタは整流ダイオード７６のアノードに接続され、ＩＧＢＴ７４のエミッタはシャント抵抗７５の一端に接続される。ＩＧＢＴ７４のゲートには図示しない制御回路が接続される。シャント抵抗７５の他端は負極側直流母線Ｎに接続される。電解コンデンサ７７の一端は正極側直流母線Ｐに接続され、電解コンデンサ７７の他端は負極側直流母線Ｎに接続される。
【００２３】
インバータ回路７８は図示しない６つのスイッチング素子を有し、正極側直流母線Ｐ側に配置された３つのスイッチング素子が上アームスイッチング素子群を構成し、負極側直流母線Ｎ側に配置された３つのスイッチング素子が下アームスイッチング素子群を構成する。上アームスイッチング素子群と下アームスイッチング素子群との接続端には図示しない交流電動機に接続される。
【００２４】
インバータ回路７８を構成する６つのスイッチング素子はＤＩＰＩＰＭ（Ｄｕａｌ  Ｉｎｌｉｎｅ  Ｐａｃｋａｇｅ  Ｉｎｔｅｌｌｉｇｅｎｔ  Ｐｏｗｅｒ  Ｍｏｄｕｌｅ）、ＩＰＭ（Ｉｎｔｅｌｉｇｅｎｔ  Ｐｏｗｅｒ  Ｍｏｄｕｌｅ）、ＩＧＢＴ、ＭＯＳＦＥＴ、ＩＧＣＴ（Ｉｎｓｕｌａｔｅｄ  Ｇａｔｅ  Ｃｏｎｔｒｏｌｌｅｄ  Ｔｈｙｒｉｓｔｏｒ）、またはＦＥＴ（Ｆｉｅｌｄ  Ｅｆｆｅｃｔ  Ｔｒａｎｓｉｓｔｏｒ）といった半導体スイッチである。
【００２５】
ＤＣＤＣ回路７９は、直流母線に印加される直流電圧を所望の値の電圧に変換して、低電圧回路８内のマイコン８１と開閉部６とに対して出力する。低電圧回路８内のマイコン８１は、ＤＣＤＣ回路７９から供給される直流電力を用いて外部機器２を駆動する電力を生成して出力する。なお図２には、ＤＣＤＣ回路７９から供給される電力で開閉部６を動作させる構成例を示すが、ノイズフィルタ７１から開閉部６に交流電力を供給することで高電圧端子４に商用電源１が接続されているときには開閉部６を動作させる構成としてもよい。
【００２６】
次に正常配線された場合の動作を説明する。
【００２７】
図１において、高電圧端子４に商用電源１の配線１ａが接続され、低電圧端子５に外部機器２の配線２ａが接続されることにより正常配線状態である場合、商用電源１の電圧が高電圧端子４を介して電源回路７に印加される。
【００２８】
電源回路７に印加された交流電圧はダイオードブリッジ７２で全波整流され、ＩＧＢＴ７４がオンオフ動作を複数回繰り返すことにより、インバータ回路７８およびＤＣＤＣ回路７９には電解コンデンサ７７で平滑された直流電圧が印加される。インバータ回路７８に印加された直流電圧は、インバータ回路７８のスイッチング素子がスイッチング動作することにより交流電圧に変換されて負荷へ供給される。またＤＣＤＣ回路７９に印加された直流電圧は、ＤＣＤＣ回路７９が動作することにより所望の値の直流電圧に降圧されてマイコン８１および開閉部６に印加される。これにより開閉部６が閉状態になり、低電圧端子５と低電圧回路８とが接続状態になる。その結果、低電圧回路８と外部機器２が接続され、メイン基板３および外部機器２が正常に動作する。
【００２９】
次に誤配線された場合の動作を説明する。
【００３０】
図３は本発明の実施の形態１に係る家電機器において誤配線時の動作を説明するための図である。図３に示すように、高電圧端子４に外部機器２の配線２ａが接続され、低電圧端子５に商用電源１の配線１ａが接続されることにより誤配線されたとき、電源回路７には電源が供給されない状態となる。この場合、直流母線には直流電圧が印加されず、ＤＣＤＣ回路７９にも直流電圧が印加されてない。そのためマイコン８１および開閉部６に直流電圧が印加されず、開閉部６が開状態になり、低電圧端子５と低電圧回路８とが非接続状態になる。その結果、商用電源１の高い電圧が低電圧端子５を介して低電圧回路８に印加されることを防止できる。なお図３では、外部機器２の配線２ａが高電圧端子４に接続されているが、外部機器２の配線２ａが低電圧端子５に接続されている場合も開閉部６が開状態になるため、この場合でも商用電源１の電圧が低電圧端子５を介して低電圧回路８に印加されることを防止できる。
【００３１】
以上のように本実施の形態の家電機器１００−１は、誤配線時に開閉部６が低電圧端子５と低電圧回路８とを非接続状態にするように構成されている。そのため低電圧端子５に高電圧が印加された場合でも部品の破損を防止できる。また家電機器１００−１によれば、誤配線保護対策のために追加する必要のある部品が開閉部６のみで済み、回路構成が単純であり、かつ、追加部品の数が少なくてよいため、誤配線保護対策のためのコストの増加を抑制できると共に信頼性の低下を抑制できる。また誤配線時に交換を要するヒューズを代表とする保護部品が不要であるため、部品交換および修理サービスにかかる手間とコストも削減することができる。
【００３２】
実施の形態２．
図４は本発明の実施の形態２に係る空気調和機が有する回路の構成図である。実施の形態１では、様々な外部機器２の接続を想定した誤配線保護機能を有する家電機器１００−１を説明したが、実施の形態２はＤＲＥＤ（Ｄｅｍａｎｄ  Ｒｅｓｐｏｎｓｅ  Ｅｎａｂｌｉｎｇ  Ｄｅｖｉｃｅ）と呼ばれる機器であるデマンド信号送信機との接続を想定した誤配線保護機能を有する空気調和機１００−２を説明する。
【００３３】
ＤＲＥＤとは、空気調和機において、電力会社から送信されるデマンド要求に応じたデマンド管理制御を行うための信号送信機である。以下でＤＲＥＤの背景技術について解説する。近年、地球温暖化対策への取り組みが世界的に進められており、その一環として各家電の省エネルギー化が求められている。その中で空気調和機に対しては最大需要電力の増大に伴い、電力需要に応じた使用電力のデマンド管理への需要が高まりつつあり、ビルまたは大型の建物で使用される業務用の空気調和機に対してだけではなく、家庭用の空気調和機に対してもデマンド管理が求められている。なかでもオーストラリアではオーストラリア規格［ＡＳ４７５５］に基づいたデマンド管理が施行されている。オーストラリア規格［ＡＳ４７５５］では、ＤＲＥＤと呼ばれる装置と空気調和機を接続することが定められている。デマンド信号送信機の動作としては、まず、電力供給者側の遠隔操作装置からＤＲＥＤに使用電力の制限要求、すなわちデマンド要求が入ると、ＤＲＥＤは空気調和機に使用電力の制限およびその制限要求レベルの信号、すなわちデマンド信号を送信する。空気調和機はデマンド信号を受信すると、その制限要求レベルに応じて、空気調和機の電力使用量を制限する。これにより電力需要が集中することを緩和することができる。
【００３４】
図４には実施の形態２に係る空気調和機１００−２の室外機が備えるメイン基板３およびサブ基板１０と、サブ基板１０に接続されるＤＲＥＤ２０とが示される。メイン基板３の構成は実施の形態１と同様であるが、サブ基板１０はＤＲＥＤ２０の信号受信回路としての機能を有する。以下では実施の形態１と同一部分には同一符号を付してその説明を省略し、ここでは異なる部分についてのみ述べる。
【００３５】
サブ基板１０は、配線１２ａを介してメイン基板３の低電圧端子５に接続され、低電圧が印加されるサブ基板１０用の第１の低電圧端子１２と、配線１４ａを介してメイン基板３の高電圧端子４に接続され、単相の商用電源１の電圧が印加される高電圧端子１４とを備える。
【００３６】
またサブ基板１０は、低電圧回路１１と、電源回路１３と、ＤＲＥＤ２０が接続され、低電圧回路１１から出力される低電圧の電力をＤＲＥＤ２０に供給するサブ基板１０用の第２の低電圧端子１６と、開閉部１５とを備える。
【００３７】
図４では、第１の低電圧端子１２に繋がる配線１２ａが低電圧端子５に接続され、商用電源１に繋がる配線１ａが高電圧端子４に接続され、高電圧端子１４に繋がる配線１４ａが高電圧端子４に接続され、ＤＲＥＤ２０に繋がる配線２０ａが第２の低電圧端子１６に接続される。本実施の形態では図４に示すように配線１ａ、配線１４ａおよび配線１２ａが接続された状態を正常配線と称する。一方、配線１ａが低電圧端子５に接続された状態を誤配線と称する。
【００３８】
開閉部１５は、サブ基板１０に設けられた誤配線保護手段であり、誤配線により配線１ａが低電圧端子５に接続されたときに、低電圧回路８を含むメイン基板３上の回路部品の破損を防ぐと共に、サブ基板１０に接続されるＤＲＥＤ２０の破損を防止するために設けられている。
【００３９】
開閉部１５は、第１の低電圧端子１２と第２の低電圧端子１６との間に配置され、商用電源１の交流電圧が高電圧端子１４に印加されているときには第１の低電圧端子１２と第２の低電圧端子１６とを接続状態にし、商用電源１の交流電圧が高電圧端子１４に印加されていないときには第１の低電圧端子１２と第２の低電圧端子１６とを非接続状態にする。
【００４０】
開閉部１５は、高電圧端子１４を介して電源回路１３に印加される交流電圧により駆動するスイッチ回路であれば如何なる構成でもよく、開閉部１５としては電磁リレー、ＭＯＳＦＥＴまたはフォトカプラを例示できる。開閉部１５が電磁リレーである場合、電磁リレーはコイルおよびプランジャを備え、高電圧端子１４に電圧が印加されていないときにはコイルが励磁されずプランジャが駆動しないため第１の低電圧端子１２が第２の低電圧端子１６に接続されず、高電圧端子１４に一定値以上の電圧が印加されているときにはコイルが励磁されることでプランジャが駆動して第１の低電圧端子１２が第２の低電圧端子１６に接続される。すなわち正常配線時には、単相の商用電源１がメイン基板３の高電圧端子４に接続されると共にサブ基板１０の高電圧端子１４に接続される。また正常配線時には、ＤＲＥＤ２０、配線２０ａ、第２の低電圧端子１６、第１の低電圧端子１２、配線１２ａおよび低電圧端子５が接続される。
【００４１】
図５は図４に示すメイン基板に搭載される電源回路の構成図である。図５に示す電源回路７は、実施の形態１と同様の回路を有する。サブ基板１０には、開閉部１５、電源回路１３および低電圧回路１１が搭載される。メイン基板３の開閉部６には電源回路７内の回路を介して商用電源１の電力が供給され、サブ基板１０の開閉部１５には電源回路７内の回路を介さずに商用電源１の電力が供給される。
【００４２】
次に正常配線された場合の動作を説明する。
【００４３】
図４において、高電圧端子４に商用電源１の配線１ａが接続され、低電圧端子５に配線１２ａが接続されることにより正常配線状態である場合、商用電源１の電圧が高電圧端子４を介して電源回路７に印加され、さらに開閉部１５に印加される。
【００４４】
電源回路７に印加された交流電圧はダイオードブリッジ７２で全波整流され、ＩＧＢＴ７４がオンオフ動作を複数回繰り返すことにより、インバータ回路７８およびＤＣＤＣ回路７９には電解コンデンサ７７で平滑された直流電圧が印加される。インバータ回路７８に印加された直流電圧は、インバータ回路７８のスイッチング素子がスイッチング動作することにより交流電圧に変換されて負荷５０へ供給される。負荷５０としては三相同期交流モータまたは三相誘導交流モータを例示できる。
【００４５】
またＤＣＤＣ回路７９に印加された直流電圧は、ＤＣＤＣ回路７９が動作することにより所望の値の直流電圧に降圧されてマイコン８１および開閉部６に印加される。これにより開閉部６が閉状態になり、低電圧端子５と低電圧回路８とが接続状態になる。またサブ基板１０の開閉部１５は、高電圧端子１４を介して印加された電圧により閉状態になり、低電圧回路１１と第２の低電圧端子１６とが接続状態になる。その結果、低電圧回路８とＤＲＥＤ２０が接続され、電源回路７およびサブ基板１０が正常に動作し、またＤＲＥＤ２０との通信が正常に行われる。
【００４６】
次に誤配線された場合の動作を説明する。
【００４７】
図６は本発明の実施の形態２に係る空気調和機において誤配線時の動作を説明するための図である。図６に示すように、高電圧端子４に配線１２ａが接続され、低電圧端子５に商用電源１の配線１ａが接続されることにより誤配線されたとき、メイン基板３の電源回路７には電源が供給されない状態となる。そのため直流母線には直流電圧が印加されず、ＤＣＤＣ回路７９にも直流電圧が印加されてない。そのためマイコン８１および開閉部６に直流電圧が印加されず、開閉部６が開状態になり、低電圧端子５と低電圧回路８とが非接続状態になる。その結果、商用電源１の高い電圧が低電圧端子５を介して低電圧回路８に印加されることを防止できる。
【００４８】
また図６に示すように誤配線されたとき、サブ基板１０の開閉部１５には電圧が印加されず、開閉部１５が開状態になり、第１の低電圧端子１２と第２の低電圧端子１６とが非接続状態になる。その結果、商用電源１の高い電圧が第２の低電圧端子１６を介してＤＲＥＤ２０に印加されることを防止できる。なお図６では、ＤＲＥＤ２０がサブ基板１０を介して高電圧端子４に接続されているが、サブ基板１０の配線１２ａが低電圧端子５に接続されている場合も開閉部１５は開状態であるため、この場合でも商用電源１の電圧がＤＲＥＤ２０に印加されることを防止できる。
【００４９】
以上のように本実施の形態の空気調和機１００−２は、誤配線時に開閉部６が低電圧端子５と低電圧回路８とを非接続状態にし、さらに開閉部１５が第１の低電圧端子１２と第２の低電圧端子１６とを非接続状態にするように構成されている。そのため低電圧端子５に高電圧が印加された場合でも実施の形態１と同様にメイン基板３の回路部品の破損を防止できるだけでなく、第２の低電圧端子１６に接続されるＤＲＥＤ２０の破損を防止できる。また実施の形態２の空気調和機１００−２によれば、誤配線保護対策のために追加する必要のある部品が開閉部６および開閉部１５のみで済み、回路構成が単純であり、かつ、追加部品の数が少なくてよいため、誤配線保護対策のためのコストの増加を抑制できると共に信頼性の低下を抑制できる。また誤配線時に交換を要するヒューズを代表とする保護部品が不要であるため、部品交換および修理サービスにかかる手間とコストも削減することができる。
【００５０】
なお実施の形態１，２では単相交流電源である商用電源１で動作する家電機器１００−１および空気調和機１００−２の構成例を説明したが、家電機器１００−１および空気調和機１００−２は三相交流電源で動作する構成でもよく、この場合にも実施の形態１，２と同様の効果を得ることができる。
【００５１】
また実施の形態１ではＤＣＤＣ回路７９の出力電圧を用いて開閉部６を動作させる構成例を説明し、実施の形態２ではＤＣＤＣ回路７９の出力電圧を用いて開閉部６を動作させると共に商用電源１の電圧を用いて開閉部１５を動作させる構成例を説明したが、開閉部６および開閉部１５は、マイコン８１から出力される電圧で動作するよう構成してもよい。マイコン８１から電圧が出力されるタイミングを制御することにより、開閉部６および開閉部１５の動作タイミングを任意に設定することができるため、実施の形態１の外部機器２または実施の形態２のＤＲＥＤ２０との接続タイミングを任意に制御することが可能となる。
【００５２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５３】
１  商用電源、１ａ，２ａ，１２ａ，１４ａ，２０ａ  配線、２  外部機器、３  メイン基板、４，１４  高電圧端子、５  低電圧端子、６，１５  開閉部、７，１３  電源回路、８，１１  低電圧回路、１０  サブ基板、１２  第１の低電圧端子、１６  第２の低電圧端子、５０  負荷、７１  ノイズフィルタ、７２  ダイオードブリッジ、７３  リアクタ、７４  ＩＧＢＴ、７５  シャント抵抗、７６  整流ダイオード、７７  電解コンデンサ、７８  インバータ回路、７９  ＤＣＤＣ回路、８１  マイコン、１００−１  家電機器、１００−２  空気調和機。
【図１】
2017145247.tif 000003
【図２】
2017145247.tif 000004
【図３】
2017145247.tif 000005
【図４】
2017145247.tif 000006
【図５】
2017145247.tif 000007
【図６】
2017145247.tif 000008
【手続補正書】
【提出日】平成30年2月22日(2018.2.22)
【手続補正１】
【補正対象書類名】特許請求の範囲
【補正対象項目名】全文
【補正方法】変更
【補正の内容】
【特許請求の範囲】
【請求項１】
低電圧を出力する低電圧回路と、
低電圧端子と、
高電圧端子と、
前記低電圧回路と前記低電圧端子との間に配置され、交流電圧が前記高電圧端子に印加されているときには前記低電圧回路と前記低電圧端子とを接続状態にし、前記交流電圧が前記高電圧端子に印加されていないときには前記低電圧回路と前記低電圧端子とを非接続状態にする開閉部と、
前記低電圧端子に接続されるサブ基板用の第１の低電圧端子と、
デマンド信号送信機に接続されるサブ基板用の第２の低電圧端子と、
前記高電圧端子に接続されるサブ基板用の高電圧端子と、
前記第１の低電圧端子と前記第２の低電圧端子との間に配置され、前記交流電圧が前記サブ基板用の高電圧端子に印加されているときには前記第１の低電圧端子と前記第２の低電圧端子とを接続状態にし、前記交流電圧が前記サブ基板用の高電圧端子に印加されていないときには前記第１の低電圧端子と前記第２の低電圧端子とを非接続状態にするサブ基板用の開閉部と
を備えたことを特徴とする空気調和機。
【請求項２】
前記交流電圧は三相交流電圧であることを特徴とする請求項１に記載の空気調和機。
【請求項３】
前記開閉部および前記サブ基板用の開閉部は、前記空気調和機に搭載されるマイコンの出力電圧で動作することを特徴とする請求項１または請求項２に記載の空気調和機。
【手続補正３】
【補正対象書類名】明細書
【補正対象項目名】０００１
【補正方法】変更
【補正の内容】
【０００１】
本発明は、誤配線により低電圧端子に高電圧が印加されたときの保護機能を有する空気調和機に関する。
【手続補正４】
【補正対象書類名】明細書
【補正対象項目名】０００８
【補正方法】変更
【補正の内容】
【０００８】
本発明は、上記に鑑みてなされたものであって、低電圧端子に高電圧が印加された場合でも部品の破損を防止できる空気調和機を得ることを目的とする。
【手続補正５】
【補正対象書類名】明細書
【補正対象項目名】０００９
【補正方法】変更
【補正の内容】
【０００９】
上述した課題を解決し、目的を達成するために、本発明に係る空気調和機は、低電圧を出力する低電圧回路と、低電圧端子と、高電圧端子と、低電圧回路と低電圧端子との間に配置され、交流電圧が高電圧端子に印加されているときには低電圧回路と低電圧端子とを接続状態にし、交流電圧が高電圧端子に印加されていないときには低電圧回路と低電圧端子とを非接続状態にする開閉部と、低電圧端子に接続されるサブ基板用の第１の低電圧端子と、デマンド信号送信機に接続されるサブ基板用の第２の低電圧端子と、高電圧端子に接続されるサブ基板用の高電圧端子と、第１の低電圧端子と第２の低電圧端子との間に配置され、交流電圧がサブ基板用の高電圧端子に印加されているときには第１の低電圧端子と第２の低電圧端子とを接続状態にし、交流電圧がサブ基板用の高電圧端子に印加されていないときには第１の低電圧端子と第２の低電圧端子とを非接続状態にするサブ基板用の開閉部とを備えたことを特徴とする。
【手続補正６】
【補正対象書類名】明細書
【補正対象項目名】００１０
【補正方法】変更
【補正の内容】
【００１０】
本発明に係る空気調和機は、低電圧端子に高電圧が印加された場合でも部品の破損を防止できるという効果を奏する。
【国際調査報告】
2017145247.tif 000009
2017145247.tif 000010
2017145247.tif 000011
2017145247.tif 000012